(57)【要約】【課題】可及的に簡単な構成により直交検波を行い得る無線受信装置を提供する。【解決手段】第１の回路状態において受信信号の位相を９０°変更させて受信ミキサ５０へ入力させると共に、第２の回路状態において受信信号の位相を変更させずに受信ミキサ５０へ入力させる位相変更回路４８と、その位相変更回路４８を第１の回路状態にした場合における第１の通信に関する受信信号の処理を行うと共に、その第１の通信と等価な信号に対して、位相変更回路４８を第２の回路状態にした場合における第２の通信に関する受信信号の処理を行う受信制御部６４と、第１の通信及び第２の通信それぞれにおける受信ミキサ５０の出力に基づいて信号処理を行う信号処理部６６とを、備えたものであることから、単一のミキサ５０を備えた構成により好適に直交検波を行うことができる。【選択図】図５
2009130604.tif 000002
【特許請求の範囲】
【請求項１】
受信アンテナと、該受信アンテナにより受信された受信信号と所定のローカル信号とを掛け合わせるミキサとを、備えた無線受信装置であって、
第１の回路状態において前記受信信号又はローカル信号の位相を９０°変更させて前記ミキサへ入力させると共に、第２の回路状態において前記受信信号及びローカル信号の何れの位相も変更させずに前記ミキサへ入力させる位相変更回路と、
該位相変更回路を前記第１の回路状態にした場合における第１の通信に関する受信信号の処理を行うと共に、該第１の通信と等価な信号に対して、前記位相変更回路を前記第２の回路状態にした場合における第２の通信に関する受信信号の処理を行う受信制御部と、
該受信制御部による前記第１の通信及び第２の通信それぞれにおいて前記ミキサにより掛け合わされて出力される信号に基づいて信号処理を行う信号処理部と
を、備えたものであることを特徴とする無線受信装置。
【請求項２】
前記第１の通信及び第２の通信は、同一の周波数の搬送波に係る信号に対応するものである請求項１に記載の無線受信装置。
【請求項３】
前記第２の通信は、前記第１の通信において通信が成功しなかったことを条件として実行されるものである請求項１又は２に記載の無線受信装置。
【請求項４】
前記第２の通信は、前記第１の通信において受信信号が規定値以下であったことを条件として実行されるものである請求項１から３の何れか１項に記載の無線受信装置。
【請求項５】
前記位相変更回路は、前記第１の回路状態において前記受信信号の位相を９０°変更させて前記ミキサへ入力させるものである請求項１から４の何れか１項に記載の無線受信装置。
【請求項６】
前記位相変更回路は、前記第１の回路状態において前記ローカル信号の位相を９０°変更させて前記ミキサへ入力させるものである請求項１から４の何れか１項に記載の無線受信装置。
【請求項７】
前記位相変更回路は、９０°ハイブリッドカプラ及び開閉器から成るものである請求項１から６の何れか１項に記載の無線受信装置。
【請求項８】
前記位相変更回路は、１／４波長ディレイライン及び開閉器から成るものである請求項１から６の何れか１項に記載の無線受信装置。
【請求項９】
前記位相変更回路は、前記開閉器の切換により前記ミキサに接続されない側の回路を終端させるように構成されたものである請求項７又は８に記載の無線受信装置。
【請求項１０】
前記位相変更回路は、可変移相器から成るものである請求項１から６の何れか１項に記載の無線受信装置。
【請求項１１】
請求項１から１０の何れか１項にに記載の無線受信装置を備え、無線タグに向けて送信信号を送信すると共に、該送信信号に応じて該無線タグから返信される返信信号を前記無線受信装置により受信することで該無線タグとの間で情報の通信を行う無線タグ通信装置。
【発明の詳細な説明】
【技術分野】
【０００１】
本発明は、無線タグとの間で無線による情報の通信を行う無線タグ通信装置及びその受信回路に好適に用いられる無線受信装置に関し、特に、可及的に簡単な構成により直交検波を実現するための改良に関する。
【背景技術】
【０００２】
所定の情報が記憶された小型の無線タグ（応答器）から所定の無線タグ通信装置（質問器）により非接触にて情報の読み出しを行うＲＦＩＤ（Radio Frequency Identification）システムが知られている。このＲＦＩＤシステムは、無線タグが汚れている場合や見えない位置に配置されている場合であっても無線タグ通信装置との通信によりその無線タグに記憶された情報を読み出すことが可能であることから、商品管理や検査工程等の様々な分野において実用が期待されている。
【０００３】
斯かる無線タグ通信装置の一態様として、上記無線タグから返信される応答波を検波するための直交検波回路（ホモダイン検波回路）を備えたものが知られている。例えば、特許文献１に記載された無線通信装置がそれである。この技術によれば、簡単且つ実用的な周波数変換回路である直交検波回路により、上記無線タグから返信される応答波を好適に検波することができる。
【０００４】
【特許文献１】特開２００５−３２８３８２号公報
【発明の開示】
【発明が解決しようとする課題】
【０００５】
前述したような従来の直交検波回路では、通常、同相信号（Ｉ相成分）及び直交信号（Ｑ相成分）それぞれに対応して搬送波信号（ローカル信号）を乗算するためのミキサが必要とされ、少なくとも２つのミキサを備えた構成が一般的である。しかし、前記無線タグ通信装置等においては、同一周波数の搬送波（キャリア）を送信する送信制御と併行して前記直交検波回路による検波を行うものであるため、上記搬送波信号を乗算するためのミキサとして比較的耐入力電力の大きいものを用いる必要があり、特に斯かるミキサを２つ設けることが前提とされる構成ではそのコストが大きくなるという弊害があった。このため、単一のミキサを備えて同相信号のみを用いて検波を行う無線タグ通信装置が提案されているが、通信対象である無線タグとの相対位置関係によっては受信感度が低下し、その無線タグからのデータの受信が困難になるおそれがあった。このため、可及的に簡単な構成により直交検波を行い得る無線受信装置及び無線タグ通信装置の開発が求められていた。
【０００６】
本発明は、以上の事情を背景として為されたものであり、その目的とするところは、可及的に簡単な構成により直交検波を行い得る無線受信装置及び無線タグ通信装置を提供することにある。
【課題を解決するための手段】
【０００７】
斯かる目的を達成するために、本第１発明の要旨とするところは、受信アンテナと、その受信アンテナにより受信された受信信号と所定のローカル信号とを掛け合わせるミキサとを、備えた無線受信装置であって、第１の回路状態において前記受信信号又はローカル信号の位相を９０°変更させて前記ミキサへ入力させると共に、第２の回路状態において前記受信信号及びローカル信号の何れの位相も変更させずに前記ミキサへ入力させる位相変更回路と、その位相変更回路を前記第１の回路状態にした場合における第１の通信に関する受信信号の処理を行うと共に、その第１の通信と等価な信号に対して、前記位相変更回路を前記第２の回路状態にした場合における第２の通信に関する受信信号の処理を行う受信制御部と、その受信制御部による前記第１の通信及び第２の通信それぞれにおいて前記ミキサにより掛け合わされて出力される信号に基づいて信号処理を行う信号処理部とを、備えたことを特徴とするものである。
【０００８】
また、前記目的を達成するために、本第２発明の要旨とするところは、上記第１発明の無線受信装置を備え、無線タグに向けて送信信号を送信すると共に、その送信信号に応じてその無線タグから返信される返信信号を前記無線受信装置により受信することでその無線タグとの間で情報の通信を行う無線タグ通信装置である。
【発明の効果】
【０００９】
このように、前記第１発明によれば、第１の回路状態において前記受信信号又はローカル信号の位相を９０°変更させて前記ミキサへ入力させると共に、第２の回路状態において前記受信信号及びローカル信号の何れの位相も変更させずに前記ミキサへ入力させる位相変更回路と、その位相変更回路を前記第１の回路状態にした場合における第１の通信に関する受信信号の処理を行うと共に、その第１の通信と等価な信号に対して、前記位相変更回路を前記第２の回路状態にした場合における第２の通信に関する受信信号の処理を行う受信制御部と、その受信制御部による前記第１の通信及び第２の通信それぞれにおける前記ミキサにより掛け合わされて出力される信号に基づいて信号処理を行う信号処理部とを、備えたものであることから、前記受信アンテナにより受信される等価な信号に関して、前記位相変更回路における回路状態を切り換えて２回受信処理を行うことで、その受信信号に関する同相信号及び直交信号を得ることができ、単一のミキサを備えた構成により好適に直交検波を行うことができる。すなわち、可及的に簡単な構成により直交検波を行い得る無線受信装置を提供することができる。
【００１０】
ここで、前記第１発明において、好適には、前記第１の通信及び第２の通信は、同一の周波数の搬送波に係る信号に対応するものである。このようにすれば、前記受信アンテナにより受信される同一周波数の信号に関して、前記位相変更回路における回路状態を切り換えて２回受信処理を行うことで、同相信号及び直交信号を好適に得ることができる。
【００１１】
また、好適には、前記第２の通信は、前記第１の通信において通信が成功しなかったことを条件として実行されるものである。このようにすれば、前記第１の通信で通信が成功した場合に第２の通信を行う必要が無く、短い時間で通信を完了することができる。
【００１２】
また、好適には、前記第２の通信は、前記第１の通信において受信信号が規定値以下であったことを条件として実行されるものである。このようにすれば、前記第１の通信で通信が成功するのに十分な受信信号強度が得られた場合には第２の通信を行う必要が無く、短い時間で通信を完了することができる。
【００１３】
また、好適には、前記位相変更回路は、前記第１の回路状態において前記受信信号の位相を９０°変更させて前記ミキサへ入力させるものである。このようにすれば、前記受信アンテナにより受信される同一周波数の信号に関して、前記位相変更回路により前記受信信号の位相を９０°切り換えて２回受信処理を行うことで、同相信号及び直交信号を好適に得ることができる。
【００１４】
また、好適には、前記位相変更回路は、前記第１の回路状態において前記ローカル信号の位相を９０°変更させて前記ミキサへ入力させるものである。このようにすれば、前記受信アンテナにより受信される同一周波数の信号に関して、前記位相変更回路により前記ローカル信号の位相を９０°切り換えて２回受信処理を行うことで、同相信号及び直交信号を好適に得ることができることに加え、前記受信信号が前記位相変更回路を通る必要が無いため、減衰の少ない受信処理が可能になる。
【００１５】
また、好適には、前記位相変更回路は、９０°ハイブリッドカプラ及び開閉器から成るものである。このようにすれば、前記受信アンテナにより受信される同一周波数の信号に関して、前記位相変更回路により実用的な態様で前記受信信号又はローカル信号の位相を９０°切り換えることができる。
【００１６】
また、好適には、前記位相変更回路は、１／４波長ディレイライン及び開閉器から成るものである。このようにすれば、前記受信アンテナにより受信される同一周波数の信号に関して、前記位相変更回路により実用的な態様で前記受信信号又はローカル信号の位相を９０°切り換えることができる。
【００１７】
また、好適には、前記位相変更回路は、前記開閉器の切換により前記ミキサに接続されない側の回路を終端させるように構成されたものである。このようにすれば、前記位相変更回路の出力としない側のポートを終端させることで、実用的な態様で出力のマッチングを実現することができる。
【００１８】
また、好適には、前記位相変更回路は、可変移相器から成るものである。このようにすれば、前記受信アンテナにより受信される同一周波数の信号に関して、前記位相変更回路により実用的な態様で前記受信信号又はローカル信号の位相を９０°切り換えることができる。
【００１９】
また、前記第２発明によれば、前記第１発明の無線受信装置を備え、無線タグに向けて送信信号を送信すると共に、その送信信号に応じてその無線タグから返信される返信信号を前記無線受信装置により受信することでその無線タグとの間で情報の通信を行う無線タグ通信装置であることから、前記受信アンテナにより受信される、前記無線タグからの等価な返信信号に関して、前記位相変更回路における回路状態を切り換えて２回受信処理を行うことで、その受信信号に関する同相信号及び直交信号を得ることができ、単一のミキサを備えた構成により好適に直交検波を行うことができる。すなわち、可及的に簡単な構成により直交検波を行い得る無線タグ通信装置を提供することができる。
【００２０】
以下、本発明の好適な実施例を図面に基づいて詳細に説明する。
【実施例】
【００２１】
図１は、本発明が好適に適用される無線タグ通信システム１０を説明する図である。この無線タグ通信システム１０は、本第２発明の一実施例である無線タグ通信装置１２と、その無線タグ通信装置１２の通信対象である単数乃至は複数（図１では単数）の無線タグ１４とから構成される所謂ＲＦＩＤ（Radio Frequency Identification）システムであり、上記無線タグ通信装置１２はそのＲＦＩＤシステムの質問器として、上記無線タグ１４は応答器としてそれぞれ機能する。すなわち、上記無線タグ通信装置１２から質問波Ｆc（送信信号）が上記無線タグ１４に向けて送信されると、その質問波Ｆcを受信した上記無線タグ１４において所定の情報信号（データ）によりその質問波Ｆcが変調され、応答波Ｆr（返信信号）として上記無線タグ通信装置１２に向けて返信されることで、その無線タグ通信装置１２と無線タグ１４との間で情報の通信が行われる。この無線タグ通信システム１０は、例えば、所定の通信領域内における物品の管理等に用いられるものであり、上記無線タグ１４は、好適には、管理対象である物品に貼られる等してその物品と一体的に設けられている。
【００２２】
図２は、前記無線タグ１４に備えられた無線タグ回路素子１６の構成を説明する図である。この図２に示すように、斯かる無線タグ回路素子１６は、前記無線タグ通信装置１２との間で信号の送受信を行うためのアンテナ部１８と、そのアンテナ部１８に接続されて前記無線タグ通信装置１２との間の情報通信処理を行うためのＩＣ回路部２０とを、備えて構成されている。そのＩＣ回路部２０は、上記アンテナ部１８により受信された前記無線タグ通信装置１２からの質問波Ｆcを整流する整流部２２と、その整流部２２により整流された質問波Ｆcのエネルギを蓄積するための電源部２４と、上記アンテナ部１８により受信された搬送波からクロック信号を抽出して制御部３２に供給するクロック抽出部２６と、所定の情報信号を記憶し得る情報記憶部として機能するメモリ部２８と、上記アンテナ部１８に接続されて信号の変調及び復調を行う変復調部３０と、上記整流部２２、クロック抽出部２６、及び変復調部３０等を介して上記無線タグ回路素子１６の作動を制御するための制御部３２とを、機能的に含んでいる。この制御部３２は、前記無線タグ通信装置１２と通信を行うことにより上記メモリ部２８に上記所定の情報を記憶する制御や、上記アンテナ部１８により受信された質問波Ｆcを上記変復調部３０において上記メモリ部２８に記憶された情報信号に基づいて変調したうえで応答波Ｆrとして上記アンテナ部１８から反射返信する制御等の基本的な制御を実行する。
【００２３】
図３は、前記無線タグ通信装置１２と同様に、前記無線タグ通信システム１０における質問器として好適に用いられる、従来技術であるＩ／Ｑ信号直交復調を行う形式の無線タグ通信装置１００の構成を例示する図である。図３に示すように、この無線タグ通信装置１００は、前記無線タグ１４に対する情報の読み出し及び書き込みの少なくとも一方を実行するためにその無線タグ１４との間で情報の通信を行うものであり、送信信号をディジタル信号として出力したり、前記無線タグ１４からの返信信号を復調する等のディジタル信号処理を実行するＤＳＰ（Digital Signal Processor）１０２と、所定の搬送波信号を出力する搬送波発生部１０４と、上記ＤＳＰ１０２から出力される送信データをその搬送波発生部１０４から出力される搬送波信号に掛け合わせる送信ミキサ１０６と、その送信ミキサ１０６から出力される変調搬送波信号を増幅する送信アンプ１０８と、その送信アンプ１０８から出力される変調搬送波信号を質問波Ｆｃとして前記無線タグ１４に向けて送信すると共に、その質問波Ｆｃに応じて無線タグ１４から返信される応答波Ｆｒを受信する送受信アンテナ１１０と、その送受信アンテナ１１０により受信された受信信号をから必要な周波数成分だけを抽出する受信フィルタ１１４と、上記送信アンプ１０８により増幅された変調搬送波信号をその送受信アンテナ１１０に供給すると共に、その送受信アンテナ１１０により受信された受信信号を前記受信フィルタ１１４に供給する送受信分離部１１２と、前記受信フィルタ１１４を介して上記送受信分離部１１２から供給される受信信号をＩ相信号（同相成分）及びＱ相信号（直交成分）に変換するＩＱ変換部１１６と、そのＩＱ変換部１１６から出力されるＩ相信号に上記搬送波発生部１０４から出力される搬送波信号を掛け合わせるＩ相ミキサ１１８と、そのＩ相ミキサ１１８から出力される信号のうち所定の周波数帯域の信号を通過させるＩ相フィルタ１２０と、そのＩ相フィルタ１２０から出力される信号を増幅して上記ＤＳＰ１０２へ供給するＩ相アンプ１２２と、上記ＩＱ変換部１１６から出力されるＱ相信号に上記搬送波発生部１０４から出力される搬送波信号を掛け合わせるＱ相ミキサ１２４と、そのＱ相ミキサ１２４から出力される信号のうち所定の周波数帯域の信号を通過させるＱ相フィルタ１２６と、そのＱ相フィルタ１２６から出力される信号を増幅して上記ＤＳＰ１０２へ供給するＱ相アンプ１２８とを、備えて構成されている。
【００２４】
また、図４は、前記無線タグ通信装置１２と同様に、前記無線タグ通信システム１０における質問器として好適に用いられる、従来技術である無線タグ通信装置１３０の構成を例示する図である。なお、この無線タグ通信装置１３０において、上記無線タグ通信装置１００と共通する部分については同一の符号を付してその説明を省略する。図４に示すように、この無線タグ通信装置１３０は、上記受信フィルタ１１４を介して上記送受信分離部１１２から供給される受信信号に上記搬送波発生部１０４から出力される搬送波信号を掛け合わせる受信ミキサ１３２と、その受信ミキサ１３２から出力される信号のうち所定の周波数帯域の信号を通過させる第２受信フィルタ１３４と、その第２受信フィルタ１３４から出力される信号を増幅して上記ＤＳＰ１０２へ供給する受信アンプ１３６とを、備えて構成されている。
【００２５】
前述した無線タグ通信装置１００は、前記無線タグ１４から返信される返信信号をＩ相信号及びＱ相信号に変換し、それらＩ相信号及びＱ相信号に搬送波信号（ローカル信号）を乗算して検波を行う一般的な直交検波回路（ホモダイン検波回路）であるが、図３に示すように、上記Ｉ相信号及びＱ相信号それぞれに対応して搬送波信号を乗算するために、少なくとも２つのミキサを備える必要がある。前記無線タグ通信装置１００のように、同一周波数の搬送波（キャリア）を送信する送信制御と併行して直交検波回路による検波を行う構成では、上記搬送波信号を乗算するためのミキサ１１８、１２４として比較的耐入力電力の大きいものを用いる必要があり、特に斯かるミキサを２つ設けることが前提とされる構成ではそのコストが大きくなる。一方、前述した無線タグ通信装置１３０は、受信側に単一のミキサ１３２を備えて同相信号のみを用いて検波を行う構成であるが、通信対象である無線タグ１４との相対位置関係によっては受信感度が低下し、その無線タグ１４からのデータの受信が困難になるおそれがある。本実施例の無線タグ通信装置１２は、以上のような従来技術の不具合を抑制しつつ、通信対象である無線タグ１４との間で好適な通信を行い得る構成を備えたものであり、以下、斯かる本実施例の無線タグ通信装置１２の構成に関して、図５等を用いて詳述する。
【００２６】
図５は、本実施例の無線タグ通信装置１２の構成を説明する図である。この無線タグ通信装置１２は、前記無線タグ１４に対する情報の読み出し及び書き込みの少なくとも一方を実行するためにその無線タグ１４との間で情報の通信を行うものであり、送信信号をディジタル信号として出力したり、前記無線タグ１４からの返信信号を復調する等のディジタル信号処理を実行するＤＳＰ（Digital Signal Processor）３４と、所定の搬送波信号を出力する搬送波発生部（ＰＬＬ＋ＶＣＯ）３６と、上記ＤＳＰ３４から出力される送信データをその搬送波発生部３６から出力される搬送波信号に掛け合わせる送信ミキサ３８と、その送信ミキサ３８から出力される変調搬送波信号を増幅する送信アンプ４０と、その送信アンプ４０から出力される変調搬送波信号を質問波Ｆｃとして前記無線タグ１４に向けて送信すると共に、その質問波Ｆｃに応じて無線タグ１４から返信される応答波Ｆｒを受信する送受信アンテナ４２と、その送受信アンテナ４２により受信された受信信号から必要な周波数成分だけを抽出する受信フィルタ４６と、上記送信アンプ４０により増幅された変調搬送波信号を前記送受信アンテナ４２に供給すると共に、その送受信アンテナ４２により受信された受信信号を前記受信フィルタ４６に供給する送受信分離部４４と、その受信フィルタ４６を介して上記送受信分離部４４から供給される受信信号を、回路状態に応じてＩ相信号（同相成分）又はＱ相信号（直交成分）として出力させる位相変更回路４８と、その位相変更回路４８から出力される信号に上記搬送波発生部３６から出力されるローカル信号（搬送波信号）を掛け合わせる受信ミキサ５０と、その受信ミキサ５０から出力される信号のうち所定の周波数帯域の信号を通過させる第２受信フィルタ５２と、その第２受信フィルタ５２から出力される信号を増幅して上記ＤＳＰ３４へ供給する受信アンプ５４とを、備えて構成されている。また、この無線タグ通信装置１２において、上記送受信アンテナ４２、送受信分離部４４、受信フィルタ４６、位相変更回路４８、受信ミキサ５０、第２受信フィルタ５２、受信アンプ５４、後述する受信制御部６４及び信号処理部６６等から、本第１発明の一実施例である無線受信装置５５が構成されている。
【００２７】
上記位相変更回路４８は、第１の回路状態において上記受信フィルタ４６を介して上記送受信分離部４４から供給される受信信号の位相を９０°変更させて上記受信ミキサ５０へ入力させると共に、第２の回路状態において斯かる受信信号の位相を変更させずにその受信ミキサ５０へ入力させる。このために、第１の入力端子からの入力信号の位相を９０°変更させて出力端子に出力する一方、第２の入力端子からの入力信号の位相を変更せず出力端子に出力させる９０°ハイブリッドカプラ５６と、上記ＤＳＰ３４からの指令に応じて、上記受信フィルタ４６を介して上記送受信分離部４４から供給される受信信号を上記９０°ハイブリッドカプラ５６における第１の入力端子及び第２の入力端子に選択的に入力させる開閉器５８とを、備えている。また、この開閉器５８は、上記９０°ハイブリッドカプラ５６における上記受信ミキサ５０に接続されない側（入力に係らない側）の端子を抵抗６０を介して終端させるように構成されている。斯かる構成により、上記開閉器５８が受信信号を上記９０°ハイブリッドカプラ５６における第１の入力端子に入力させる切換位置とされた第１の回路状態においては、上記９０°ハイブリッドカプラ５６によりその受信信号の位相が９０°変更されて上記受信ミキサ５０に入力される一方、上記開閉器５８が受信信号を上記９０°ハイブリッドカプラ５６における第２の入力端子に入力させる切換位置とされた第２の回路状態においては、上記９０°ハイブリッドカプラ５６によりその受信信号の位相が変更されることなく上記受信ミキサ５０に入力される。
【００２８】
前記ＤＳＰ３４は、中央演算処理装置であるＣＰＵ、読出専用メモリであるＲＯＭ、及び随時書込読出メモリであるＲＡＭ等から成り、ＲＡＭの一時記憶機能を利用しつつＲＯＭに予め記憶されたプログラムに従って信号処理を行う所謂マイクロコンピュータである。このＤＳＰ３４は、前記無線タグ１４との間で情報の通信を行うための制御機能として、送信データ生成部６２、受信制御部６４、及び信号処理部６６を備えている。以下、これらの制御機能について分説する。
【００２９】
上記送信データ生成部６２は、前記無線タグ１４への送信に係る送信データを生成する。具体的には、前記無線タグ１４に所定の情報を書き込むため、或いはその無線タグ１４から所定の情報を読み出すための送信データに対応するコマンドビット列を生成する。この送信データ生成部６２により生成された送信データは、前記送信ミキサ３８へ供給され、その送信ミキサ３８において前記搬送波発生部３６から出力される搬送波信号に掛け合わされて、前述のように前記送受信アンテナ４２から質問波ＦCとして送信される。
【００３０】
前記受信制御部６４は、前記位相変更回路４８を介して前記無線タグ通信装置１２による受信処理を制御する。すなわち、前記位相変更回路４８を前記第１の回路状態（送受信分離部４４から供給される受信信号の位相を９０°変更させて受信ミキサ５０へ入力させる状態）にした場合における第１の通信に関する受信信号の処理を行うと共に、その第１の通信と等価な信号に対して、前記位相変更回路４８を前記第２の回路状態（送受信分離部４４から供給される受信信号の位相を変更させずに受信ミキサ５０へ入力させる状態）にした場合における第２の通信に関する受信信号の処理を行う。換言すれば、前記位相変更回路４８に備えられた開閉器５８の切換により前記第１の回路状態及び第２の回路状態を選択的に成立させ、それぞれの回路状態に対応する第１の通信及び第２の通信に相当する受信信号の処理を行う。ここで、斯かる第１の通信及び第２の通信は、前記搬送波発生部３６から出力される同一の周波数の搬送波に係る同一のコマンドに対応する送信信号に対して通信対象である無線タグ１４との間で行われるものである。
【００３１】
前記信号処理部６６は、前記受信ミキサ５０において前記搬送波発生部３６から出力されるローカル信号が掛け合わされ、前記第２受信フィルタ５２及び受信アンプ５４を介して供給される受信信号の信号処理を行う。具体的には、復調された信号（検波信号）の復号や、復号された信号に対応するビット列の解釈等の処理を行う。また、前記受信制御部６４により選択的に成立させられる前記第１の通信及び第２の通信それぞれにおいて前記受信ミキサ５０によりローカル信号と掛け合わされて出力される信号に基づいて信号処理を行う。
【００３２】
前述のように、前記位相変更回路４８は、第１の回路状態において前記送受信分離部４４から供給される受信信号の位相を９０°変更させて前記受信ミキサ５０へ入力させると共に、第２の回路状態において斯かる受信信号の位相を変更させずにその受信ミキサ５０へ入力させる。これにより、前記位相変更回路４８が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記位相変更回路４８に備えられた開閉器５８の切換制御が行われ、その位相変更回路４８において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００３３】
図１３は、本実施例の無線タグ通信装置１２のＤＳＰ３４による無線タグ通信制御の要部を説明するフローチャートであり、所定の周期で繰り返し実行されるものである。
【００３４】
先ず、ステップＳ１（以下、ステップを省略する）において、前記位相変更回路４８が第１の回路状態に設定される。次に、Ｓ２において、通信対象となる無線タグ１４との間で第１の通信処理が行われる。次に、Ｓ３において、Ｓ２の第１の通信における受信信号のエラー検出（例えばＣＲＣの計算）が行われる。次に、Ｓ４において、通信エラーが無かったか否かが判断される。このＳ４の判断が否定される場合、すなわち通信エラーは無かったと判断される場合には、前記第１の通信において正しい通信が行われたものとし、それをもって本ルーチンが終了させられるが、Ｓ４の判断が肯定される場合、すなわち第１の通信において通信エラーがあったと判断される場合には、Ｓ５において、受信信号の信号強度が検出（算出）される。次に、Ｓ６において、Ｓ５にて検出された受信信号強度が予め定められた所定値（規定値）以上であるか否かが判断される。このＳ５の判断が肯定される場合には、前記第１の通信状態において通信を行うのに十分な受信強度が得られたが通信に失敗しているものと考えられるため、Ｓ９において、通信エラーが発生した旨が通知された後、本ルーチンが終了させられるが、Ｓ６の判断が否定される場合には、Ｓ７において、前記位相変更回路４８が第２の回路状態に設定される。次に、Ｓ８において、通信対象となる無線タグ１４との間で第２の通信処理が行われた後、本ルーチンが終了させられる。なお、この制御では、Ｓ２における第１の通信において、通信エラーと規定の閾値により第２の通信の実行／非実行を判断しているが、どちらか一方により斯かる判断を行うものであってもよい。
【００３５】
このように、本実施例によれば、第１の回路状態において受信信号又はローカル信号の位相を９０°変更させて前記受信ミキサ５０へ入力させると共に、第２の回路状態において受信信号及びローカル信号の何れの位相も変更させずに前記受信ミキサ５０へ入力させる位相変更回路４８と、その位相変更回路４８を前記第１の回路状態にした場合における第１の通信に関する受信信号の処理を行うと共に、その第１の通信と等価な信号に対して、前記位相変更回路４８を前記第２の回路状態にした場合における第２の通信に関する受信信号の処理を行う受信制御部６４と、その受信制御部６４による前記第１の通信及び第２の通信それぞれにおける前記受信ミキサ５０により掛け合わされて出力される信号に基づいて信号処理を行う信号処理部６６とを、備えたものであることから、前記送受信アンテナ４２により受信される等価な信号に関して、前記位相変更回路４８における回路状態を切り換えて２回受信処理を行うことで、その受信信号に関する同相信号及び直交信号を得ることができ、単一のミキサ５０を備えた構成により好適に直交検波を行うことができる。すなわち、可及的に簡単な構成により直交検波を行い得る無線受信装置５５を提供することができる。
【００３６】
また、前記第１の通信及び第２の通信は、同一の周波数の搬送波に係る信号に対応するものであるため、前記送受信アンテナ４２により受信される同一周波数の信号に関して、前記位相変更回路４８における回路状態を切り換えて２回受信処理を行うことで、同相信号及び直交信号を好適に得ることができる。
【００３７】
また、前記第２の通信は、前記第１の通信において通信が成功しなかったことを条件に実行されるものであるため、前記第１の通信で通信が成功した場合に第２の通信を行う必要が無く、無駄な通信を省き、短い時間で通信を完了することができる。
【００３８】
また、前記第２の通信は、前記第１の通信において受信信号が規定値以下であったことを条件として実行されるものであるため、前記第１の通信で通信が成功するのに十分な受信信号強度が得られている場合には第２の通信を行う必要が無く、無駄な通信を省き、短い時間で通信を完了することができる。
【００３９】
また、前記位相変更回路４８は、前記第１の回路状態において前記受信信号の位相を９０°変更させて前記受信ミキサ５０へ入力させるものであるため、前記送受信アンテナ４２により受信される同一周波数の信号に関して、前記位相変更回路４８により前記受信信号の位相を９０°切り換えて２回受信処理を行うことで、同相信号及び直交信号を好適に得ることができる。
【００４０】
また、前記位相変更回路４８は、９０°ハイブリッドカプラ５６及び開閉器５８から成るものであるため、前記送受信アンテナ４２により受信される同一周波数の信号に関して、前記位相変更回路４８により実用的な態様で前記受信信号又はローカル信号の位相を９０°切り換えることができる。
【００４１】
また、前記位相変更回路４８は、前記開閉器５８の切換により前記受信ミキサ５０に接続されない側の回路を終端させるように構成されたものであるため、前記位相変更回路４８の出力としない側のポートを終端させることで、実用的な態様で出力のマッチングを実現することができる。
【００４２】
また、前記無線受信装置５５を備え、前記無線タグ１４に向けて送信信号を送信すると共に、その送信信号に応じてその無線タグ１４から返信される返信信号を前記無線受信装置５５により受信することでその無線タグ１４との間で情報の通信を行う無線タグ通信装置１２であることから、前記送受信アンテナ４２により受信される、前記無線タグ１４からの等価な返信信号に関して、前記位相変更回路４８における回路状態を切り換えて２回受信処理を行うことで、その受信信号に関する同相信号及び直交信号を得ることができ、単一の受信ミキサ５０を備えた構成により好適に直交検波を行うことができる。すなわち、可及的に簡単な構成により直交検波を行い得る無線タグ通信装置１２を提供することができる。
【００４３】
続いて、本発明の他の好適な実施例を図面に基づいて詳細に説明する。なお、以下の説明に関して、実施例相互に共通する部分については同一の符号を付してその説明を省略する。
【００４４】
図６は、本第２発明の一実施例である無線タグ通信装置６８の構成を説明する図である。この無線タグ通信装置６８は、前述した無線タグ通信装置１２と同様に、前記無線タグ１４に対する情報の読み出し及び書き込みの少なくとも一方を実行するためにその無線タグ１４との間で情報の通信を行うものであり、前記ＤＳＰ３４、搬送波発生部３６、送受信アンテナ４２、及び受信ミキサ５０をはじめとする各種構成を備えている。また、この無線タグ通信装６８に備えられた本第１発明の一実施例である無線受信装置７０では、前記搬送波発生部３６から出力されるローカル信号（搬送波信号）に対応して前記位相変更回路４８が設けられている。すなわち、本実施例の無線受信装置７０に備えられた位相変更回路４８は、第１の回路状態において前記搬送波発生部３６から供給されるローカル信号の位相を９０°変更させて上記受信ミキサ５０へ入力させると共に、第２の回路状態において斯かるローカル信号の位相を変更させずにその受信ミキサ５０へ入力させる。また、前記ＤＳＰ３４に機能的に備えられた受信制御部６４は、前記位相変更回路４８を前記第１の回路状態（搬送波発生部３６から供給されるローカル信号の位相を９０°変更させて受信ミキサ５０へ入力させる状態）にした場合における第１の通信に関する受信信号の処理を行うと共に、その第１の通信と等価な信号に対して、前記位相変更回路４８を前記第２の回路状態（搬送波発生部３６から供給されるローカル信号の位相を変更させずに受信ミキサ５０へ入力させる状態）にした場合における第２の通信に関する受信信号の処理を行う。
【００４５】
上述のように、上記無線受信装置７０に備えられた位相変更回路４８は、第１の回路状態において前記搬送波発生部３６から供給されるローカル信号の位相を９０°変更させて前記受信ミキサ５０へ入力させると共に、第２の回路状態において斯かるローカル信号の位相を変更させずにその受信ミキサ５０へ入力させる。これにより、前記位相変更回路４８が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記位相変更回路４８に備えられた開閉器５８の切換制御が行われ、その位相変更回路４８において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００４６】
このように、本実施例において、前記位相変更回路４８は、前記第１の回路状態において前記ローカル信号の位相を９０°変更させて前記受信ミキサ５０へ入力させるものであるため、前記送受信アンテナ４２により受信される同一周波数の信号に関して、前記位相変更回路４８により前記ローカル信号の位相を９０°切り換えて２回受信処理を行うことで、同相信号及び直交信号を好適に得ることができる。また、前記受信信号が前記位相変更回路４８を通らないため、減衰の少ない受信処理が可能になる
【００４７】
図７及び図８は、本第２発明の一実施例である無線タグ通信装置７２、８０の構成をそれぞれ説明する図である。これらの無線タグ通信装置７２、８０は、前述した無線タグ通信装置１２等と同様に、前記無線タグ１４に対する情報の読み出し及び書き込みの少なくとも一方を実行するためにその無線タグ１４との間で情報の通信を行うものであり、前記ＤＳＰ３４、搬送波発生部３６、送受信アンテナ４２、及び受信ミキサ５０をはじめとする各種構成を備えている。また、これらの無線タグ通信装置７２、８０は、前記開閉器５８、抵抗６０、及び信号の位相を９０°変更する１／４波長ディレイライン７８から成る位相変更回路７６を備えている。
【００４８】
図７に示すように、上記無線タグ通信装置７２に備えられた本第１発明の一実施例である無線受信装置７４では、前記送受信分離部４４から供給される受信信号に対応して上記位相変更回路７６が設けられている。すなわち、本実施例の無線受信装置７４に備えられた位相変更回路７６は、第１の回路状態において前記送受信分離部４４から供給される受信信号の位相を上記１／４波長ディレイライン７８により９０°変更させて前記受信ミキサ５０へ入力させると共に、第２の回路状態において斯かる受信信号の位相を変更させずにその受信ミキサ５０へ入力させる。また、前記ＤＳＰ３４に機能的に備えられた受信制御部６４は、上記開閉器５８を介して、前記位相変更回路７６を前記第１の回路状態（送受信分離部４４から供給される受信信号の位相を９０°変更させて受信ミキサ５０へ入力させる状態）にした場合における第１の通信に関する受信信号の処理を行うと共に、その第１の通信と等価な信号に対して、前記位相変更回路７６を前記第２の回路状態（送受信分離部４４から供給される受信信号の位相を変更させずに受信ミキサ５０へ入力させる状態）にした場合における第２の通信に関する受信信号の処理を行う。
【００４９】
上述のように、前記無線タグ通信装置７２（無線受信装置７４）に備えられた位相変更回路７６は、第１の回路状態において前記送受信分離部４４から供給される受信信号の位相を９０°変更させて前記受信ミキサ５０へ入力させると共に、第２の回路状態において斯かる受信信号の位相を変更させずにその受信ミキサ５０へ入力させる。これにより、前記位相変更回路７６が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記位相変更回路７６に備えられた開閉器５８の切換制御が行われ、その位相変更回路７６において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００５０】
また、図８に示すように、前記無線タグ通信装置８０に備えられた本第１発明の一実施例である無線受信装置８２では、前記搬送波発生部３６から供給されるローカル信号に対応して前記位相変更回路７６が設けられている。すなわち、本実施例の無線受信装置８２に備えられた位相変更回路７６は、第１の回路状態において前記搬送波発生部３６から供給されるローカル信号の位相を上記１／４波長ディレイライン７８により９０°変更させて前記受信ミキサ５０へ入力させると共に、第２の回路状態において斯かるローカル信号の位相を変更させずにその受信ミキサ５０へ入力させる。また、前記ＤＳＰ３４に機能的に備えられた受信制御部６４は、前記開閉器５８を介して、前記位相変更回路７６を前記第１の回路状態（搬送波発生部３６から供給されるローカル信号の位相を９０°変更させて受信ミキサ５０へ入力させる状態）にした場合における第１の通信に関する受信信号の処理を行うと共に、その第１の通信と等価な信号に対して、前記位相変更回路７６を前記第２の回路状態（搬送波発生部３６から供給されるローカル信号の位相を変更させずに受信ミキサ５０へ入力させる状態）にした場合における第２の通信に関する受信信号の処理を行う。
【００５１】
上述のように、前記位相変更回路７６は、第１の回路状態において前記搬送波発生部３６から供給されるローカル信号の位相を９０°変更させて前記受信ミキサ５０へ入力させると共に、第２の回路状態において斯かるローカル信号の位相を変更させずにその受信ミキサ５０へ入力させる。これにより、前記位相変更回路７６が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記位相変更回路７６に備えられた開閉器５８の切換制御が行われ、その位相変更回路７６において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００５２】
このように、本実施例によれば、前記位相変更回路７６は、１／４波長ディレイライン７８及び開閉器５８から成るものであるため、前記送受信アンテナ４２により受信される同一周波数の信号に関して、前記位相変更回路７６により実用的な態様で前記受信信号又はローカル信号の位相を９０°切り換えることができる。
【００５３】
図９及び図１０は、本第２発明の一実施例である無線タグ通信装置８４、９０の構成をそれぞれ説明する図である。これらの無線タグ通信装置８４、９０は、前述した無線タグ通信装置１２等と同様に、前記無線タグ１４に対する情報の読み出し及び書き込みの少なくとも一方を実行するためにその無線タグ１４との間で情報の通信を行うものであり、前記ＤＳＰ３４、搬送波発生部３６、送受信アンテナ４２、及び受信ミキサ５０をはじめとする各種構成を備えている。また、これらの無線タグ通信装置８４、９０は、前記１／４ディレイライン７８及び一対の開閉器８８ａ、８８ｂから成る位相変更回路８６を備えている。
【００５４】
図９に示すように、上記無線タグ通信装置８４に備えられた本第１発明の一実施例である無線受信装置８５では、前記送受信分離部４４から供給される受信信号に対応して上記位相変更回路８６が設けられている。すなわち、本実施例の無線受信装置８４に備えられた位相変更回路８６は、第１の回路状態において前記送受信分離部４４から供給される受信信号の位相を前記１／４波長ディレイライン７８により９０°変更させて前記受信ミキサ５０へ入力させると共に、第２の回路状態において斯かる受信信号の位相を変更させずにその受信ミキサ５０へ入力させる。また、前記ＤＳＰ３４に機能的に備えられた受信制御部６４は、上記一対の開閉器８８ａ、８８ｂを介して、前記位相変更回路８６を前記第１の回路状態（送受信分離部４４から供給される受信信号の位相を９０°変更させて受信ミキサ５０へ入力させる状態）にした場合における第１の通信に関する受信信号の処理を行うと共に、その第１の通信と等価な信号に対して、前記位相変更回路８６を前記第２の回路状態（送受信分離部４４から供給される受信信号の位相を変更させずに受信ミキサ５０へ入力させる状態）にした場合における第２の通信に関する受信信号の処理を行う。
【００５５】
上述のように、前記無線タグ通信装置８４（無線受信装置８５）に備えられた位相変更回路８６は、第１の回路状態において前記送受信分離部４４から供給される受信信号の位相を９０°変更させて前記受信ミキサ５０へ入力させると共に、第２の回路状態において斯かる受信信号の位相を変更させずにその受信ミキサ５０へ入力させる。これにより、前記位相変更回路８６が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記位相変更回路８６に備えられた一対の開閉器８８ａ、８８ｂの切換制御が行われ、その位相変更回路８６において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００５６】
また、図１０に示すように、前記無線タグ通信装置９０に備えられた本第１発明の一実施例である無線受信装置９１では、前記搬送波発生部３６から供給されるローカル信号に対応して前記位相変更回路８６が設けられている。すなわち、本実施例の無線受信装置９１に備えられた位相変更回路８６は、第１の回路状態において前記搬送波発生部３６から供給されるローカル信号の位相を上記１／４波長ディレイライン７８により９０°変更させて前記受信ミキサ５０へ入力させると共に、第２の回路状態において斯かるローカル信号の位相を変更させずにその受信ミキサ５０へ入力させる。また、前記ＤＳＰ３４に機能的に備えられた受信制御部６４は、前記開閉器８８ａ、８８ｂを介して、前記位相変更回路８６を前記第１の回路状態（搬送波発生部３６から供給されるローカル信号の位相を９０°変更させて受信ミキサ５０へ入力させる状態）にした場合における第１の通信に関する受信信号の処理を行うと共に、その第１の通信と等価な信号に対して、前記位相変更回路８６を前記第２の回路状態（搬送波発生部３６から供給されるローカル信号の位相を変更させずに受信ミキサ５０へ入力させる状態）にした場合における第２の通信に関する受信信号の処理を行う。
【００５７】
上述のように、前記無線タグ通信装置９０（無線受信装置９１）に備えられた位相変更回路８６は、第１の回路状態において前記搬送波発生部３６から供給されるローカル信号の位相を９０°変更させて前記受信ミキサ５０へ入力させると共に、第２の回路状態において斯かるローカル信号の位相を変更させずにその受信ミキサ５０へ入力させる。これにより、前記位相変更回路８６が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記位相変更回路８６に備えられた一対の開閉器８８ａ、８８ｂの切換制御が行われ、その位相変更回路８６において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００５８】
図１１及び図１２は、本第２発明の一実施例である無線タグ通信装置９２、９６の構成をそれぞれ説明する図である。これらの無線タグ通信装置９２、９６は、前述した無線タグ通信装置１２等と同様に、前記無線タグ１４に対する情報の読み出し及び書き込みの少なくとも一方を実行するためにその無線タグ１４との間で情報の通信を行うものであり、前記ＤＳＰ３４、搬送波発生部３６、送受信アンテナ４２、及び受信ミキサ５０をはじめとする各種構成を備えている。また、これらの無線タグ通信装置９２、９６は、可変移相器９４を位相変更回路として備えている。
【００５９】
図１１に示すように、上記無線タグ通信装置９２に備えられた本第２発明の一実施例である無線受信装置９３では、前記送受信分離部４４から供給される受信信号に対応して上記可変移相器９４が設けられている。すなわち、本実施例の無線受信装置９２に備えられた可変移相器９４は、第１の回路状態において前記送受信分離部４４から供給される受信信号の位相を９０°変更させて前記受信ミキサ５０へ入力させると共に、第２の回路状態において斯かる受信信号の位相を変更させずにその受信ミキサ５０へ入力させる。また、前記ＤＳＰ３４に機能的に備えられた受信制御部６４は、上記可変移相器９４を介して、その可変移相器９４から成る位相変更回路を前記第１の回路状態（送受信分離部４４から供給される受信信号の位相を９０°変更させて受信ミキサ５０へ入力させる状態）にした場合における第１の通信に関する受信信号の処理を行うと共に、その第１の通信と等価な信号に対して、前記可変移相器９４を前記第２の回路状態（送受信分離部４４から供給される受信信号の位相を変更させずに受信ミキサ５０へ入力させる状態）にした場合における第２の通信に関する受信信号の処理を行う。
【００６０】
上述のように、前記無線タグ通信装置９２（無線受信装置９３）に備えられた可変移相器９４は、第１の回路状態において前記送受信分離部４４から供給される受信信号の位相を９０°変更させて前記受信ミキサ５０へ入力させると共に、第２の回路状態において斯かる受信信号の位相を変更させずにその受信ミキサ５０へ入力させる。これにより、前記可変移相器９４から成る位相変更回路が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記可変移相器９４における移相量の制御が行われ、その可変移相器９４において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００６１】
また、図１２に示すように、前記無線タグ通信装置９６に備えられた本第１発明の一実施例である無線受信装置９８では、前記搬送波発生部３６から供給されるローカル信号に対応して前記可変移相器９４が設けられている。すなわち、本実施例の無線受信装置９８に備えられた可変移相器９４は、第１の回路状態において前記搬送波発生部３６から供給されるローカル信号の位相を９０°変更させて前記受信ミキサ５０へ入力させると共に、第２の回路状態において斯かるローカル信号の位相を変更させずにその受信ミキサ５０へ入力させる。また、前記ＤＳＰ３４に機能的に備えられた受信制御部６４は、前記可変移相器９４から成る位相変更回路を前記第１の回路状態（搬送波発生部３６から供給されるローカル信号の位相を９０°変更させて受信ミキサ５０へ入力させる状態）にした場合における第１の通信に関する受信信号の処理を行うと共に、その第１の通信と等価な信号に対して、前記可変移相器９４を前記第２の回路状態（搬送波発生部３６から供給されるローカル信号の位相を変更させずに受信ミキサ５０へ入力させる状態）にした場合における第２の通信に関する受信信号の処理を行う。
【００６２】
上述のように、前記無線タグ通信装置９６（無線受信装置９８）に備えられた可変移相器９４は、第１の回路状態において前記搬送波発生部３６から供給されるローカル信号の位相を９０°変更させて前記受信ミキサ５０へ入力させると共に、第２の回路状態において斯かるローカル信号の位相を変更させずにその受信ミキサ５０へ入力させる。これにより、前記可変移相器９４が第１の回路状態である場合には、前記受信ミキサ５０から直交信号（Ｑ相成分）に相当する信号が出力される一方、第２の回路状態である場合には、前記受信ミキサ５０から同相信号（Ｉ相成分）に相当する信号が出力される。前記受信制御部６４により前記可変移相器９４における移相量の制御が行われ、その可変移相器９４において前記第１の回路状態及び第２の回路状態が選択的に成立させられた場合、各回路状態に対応する第１の通信及び第２の通信にそれぞれ対応する信号が前記信号処理部６６へ入力される。このようにして、前記信号処理部６６において、前記第１の通信に対応する信号すなわちＱ相信号と、第２の通信に対応する信号すなわちＩ相信号とに基づく信号処理が行われ、図３に示すような同相信号及び直交信号それぞれに対応してミキサを備えた構成と等価な受信処理を実現することができる。
【００６３】
このように、本実施例において、位相変更回路として可変移相器９４を備えたものであるため、前記送受信アンテナ４２により受信される同一周波数の信号に関して、位相変更回路としての前記可変移相器９４により実用的な態様で前記受信信号又はローカル信号の位相を９０°切り換えることができる。
【００６４】
以上、本発明の好適な実施例を図面に基づいて詳細に説明したが、本発明はこれに限定されるものではなく、更に別の態様においても実施される。
【００６５】
例えば、前述の実施例では、前記無線タグ１４に向けての送信信号の送信及びその無線タグ１４からの返信信号の受信に共用される送受信アンテナ４２を備えた無線タグ通信装置１２等に本発明が適用された例を説明したが、本発明はこれに限定されるものではなく、例えば、前記無線タグ１４に向けて送信信号を送信するための送信アンテナ及びその無線タグ１４から返信される返信信号を受信するための受信アンテナをそれぞれ個別に備えた無線タグ通信装置に本発明は好適に適用される。
【００６６】
また、前述の実施例において、前記送信データ生成部６２、受信制御部６４、及び信号処理部６６は、何れも前記ＤＳＰ３４に機能的に備えられたものであったが、これらの制御機能を有する制御装置がそれぞれ個別に備えられたものであってもよい。更には、これらの制御機能による制御は、ディジタル信号処理であると、アナログ信号処理であるとを問わない。
【００６７】
また、前述の実施例では、本発明が無線タグ１４との間で通信を行う無線タグ通信装置１２等に適用された例を説明したが、本発明は、受信アンテナと、その受信アンテナにより受信された受信信号と所定のローカル信号とを掛け合わせるミキサとを、備えた無線受信装置を備えた通信機器に広く適用され得るものである。
【００６８】
その他、一々例示はしないが、本発明はその趣旨を逸脱しない範囲内において種々の変更が加えられて実施されるものである。
【図面の簡単な説明】
【００６９】
【図１】本発明が好適に適用される無線タグ通信システムを説明する図である。
【図２】図１の無線タグ通信システムの通信対象である無線タグに備えられた無線タグ回路素子の構成を説明する図である。
【図３】図１の無線タグ通信装置と同様に、無線タグ通信システムにおける質問器として好適に用いられる、従来技術であるＩ／Ｑ信号直交復調を行う形式の無線タグ通信装置の構成を例示する図である。
【図４】図１の無線タグ通信装置と同様に、無線タグ通信システムにおける質問器として好適に用いられる、従来技術である無線タグ通信装置の構成を例示する図である。
【図５】本第２発明の一実施例である無線タグ通信装置の構成を説明する図であり、受信信号の位相を制御する態様を例示している。
【図６】本第２発明の他の実施例である無線タグ通信装置の構成を説明する図であり、ローカル信号の位相を制御する態様を例示している。
【図７】本第２発明の更に別の実施例である無線タグ通信装置の構成を説明する図であり、受信信号の位相を制御する態様を例示している。
【図８】本第２発明の更に別の実施例である無線タグ通信装置の構成を説明する図であり、ローカル信号の位相を制御する態様を例示している。
【図９】本第２発明の更に別の実施例である無線タグ通信装置の構成を説明する図であり、受信信号の位相を制御する態様を例示している。
【図１０】本第２発明の更に別の実施例である無線タグ通信装置の構成を説明する図であり、ローカル信号の位相を制御する態様を例示している。
【図１１】本第２発明の更に別の実施例である無線タグ通信装置の構成を説明する図であり、受信信号の位相を制御する態様を例示している。
【図１２】本第２発明の更に別の実施例である無線タグ通信装置の構成を説明する図であり、ローカル信号の位相を制御する態様を例示している。
【図１３】図５等の無線タグ通信装置に備えられたＤＳＰによる無線タグ通信制御の要部を説明するフローチャートである。
【符号の説明】
【００７０】
１２、６８、７２、８０、８４、９０、９２、９６：無線タグ通信装置
１４：無線タグ
４２：送受信アンテナ
４８、７６、８６：位相変更回路
５０：受信ミキサ
５５、７０、７４、８２、８５、９１、９８：無線受信装置
５６：９０°ハイブリッドカプラ
５８：開閉器
６４：受信制御部
６６：信号処理部
７８：１／４波長ディレイライン
８８：開閉器
９４：可変移相器（位相変更回路）
【図１】
2009130604.tif 000003
【図２】
2009130604.tif 000004
【図３】
2009130604.tif 000005
【図４】
2009130604.tif 000006
【図５】
2009130604.tif 000007
【図６】
2009130604.tif 000008
【図７】
2009130604.tif 000009
【図８】
2009130604.tif 000010
【図９】
2009130604.tif 000011
【図１０】
2009130604.tif 000012
【図１１】
2009130604.tif 000013
【図１２】
2009130604.tif 000014
【図１３】
2009130604.tif 000015